(57)【要約】      （修正有）【課題】手間がかからず、設置コストが安価な自動臭気ガス遮断装置を提供する。【解決手段】自動臭気ガス遮断装置１０は、逆切頭円錐形の外壁によって形成され、上端と下端１２ａが開放し、内部が空洞の本体１２と、本体内に収容され、下端よりも大きな直径を有する球体１４と、本体の上端を閉鎖するための蓋体１６とを備える。蓋体には、１個又は複数個の孔１６ａが設けられており、内部の臭気ガスが所定量以上になると、臭気ガスの圧力によって球体が上昇し、下端及び孔を介して、臭気ガスが外部に放出され、内部の臭気ガスが所定量以下の場合には、球体によって下端が閉鎖されるため、臭気ガスの放出が遮断される。【選択図】図１
0003178272.tif 000002
【実用新案登録請求の範囲】
【請求項１】
マンホール又は排水枡の外蓋の下方に配置された中蓋のほぼ中央に設けられた開口に設置される自動臭気ガス遮断装置であって、
逆切頭円錐形の外壁によって形成され、上端と下端が開放し、内部が空洞の本体と、
前記本体内に収容され、前記下端よりも大きな直径を有する球体と、
前記本体の前記上端を閉鎖するための蓋体とを備え、
前記蓋体には、１個又は複数個の孔が設けられており、
前記マンホール又は前記排水枡の内部の臭気ガスが所定量以上になると、臭気ガスの圧力によって前記球体が上昇し、前記下端及び前記孔を介して、臭気ガスが外部に放出され、前記マンホール又は前記排水枡の内部の臭気ガスが所定量以下の場合には、前記球体によって前記下端が閉鎖されるため、臭気ガスの放出が遮断されるように構成されていることを特徴とする装置。
【請求項２】
前記本体と前記蓋体の両方又はいずれか一方が、使用済みのペットボトルを所要の大きさに切断することによって形成されることを特徴とする請求項１に記載された装置。
【考案の詳細な説明】
【技術分野】
【０００１】
本考案は一般に、自動臭気ガス遮断装置に関する。より詳細には、本考案は、マンホールや排水枡から発生する臭気ガスを自動的に遮断する自動臭気ガス遮断装置に関する。
【背景技術】
【０００２】
道路には、一定間隔を隔てて排水枡やマンホールが設置されており、排水枡やマンホールの頂部には、グレーチングや鋼板で出来た蓋が被せられている。このような排水枡やマンホールでは、放置しておくと、悪臭が発生するため、排水枡やマンホールの内部に、活性炭を利用した防臭器具を配置する等して、防臭対策を施している。
【考案の概要】
【考案が解決しようとする課題】
【０００３】
しかしながら、上述のような、活性炭を利用した防臭器具では、活性炭を短期間で交換する必要があるため、手間がかかるという課題があった。
【０００４】
本考案は、このような状況に鑑みて開発されたものであって、手間がかからず、設置コストが安価な自動臭気ガス遮断装置を提供することを目的としている。
【課題を解決するための手段】
【０００５】
本願請求項１に記載の自動臭気ガス遮断装置は、マンホール又は排水枡の外蓋の下方に配置された中蓋のほぼ中央に設けられた開口に設置され、逆切頭円錐形の外壁によって形成され、上端と下端が開放し、内部が空洞の本体と、前記本体内に収容され、前記下端よりも大きな直径を有する球体と、前記本体の前記上端を閉鎖するための蓋体とを備え、前記蓋体には、１個又は複数個の孔が設けられており、前記マンホール又は前記排水枡の内部の臭気ガスが所定量以上になると、臭気ガスの圧力によって前記球体が上昇し、前記下端及び前記孔を介して、臭気ガスが外部に放出され、前記マンホール又は前記排水枡の内部の臭気ガスが所定量以下の場合には、前記球体によって前記下端が閉鎖されるため、臭気ガスの放出が遮断されるように構成されていることを特徴とするものである。
【０００６】
本願請求項２に記載の自動臭気ガス遮断装置は、前記請求項１の装置において、前記本体及び／又は前記蓋体が、使用済みのペットボトルを所要の大きさに切断することによって形成されることを特徴とするものである。
【考案の効果】
【０００７】
本考案の装置は、低コストで製造することができ、構造が簡単であるため、維持管理も容易である。また、本考案の装置は、一旦設置すると、長時間持続して使用することができる。さらに、使用済みのペットボトルを利用すれば、一層安価にかつ容易に製造することができるとともに、廃品のリサイクルに資することもできる。
【図面の簡単な説明】
【０００８】
【図１】本考案の好ましい実施の形態に係る自動臭気ガス遮断装置の全体を示した断面図である。
【図２】図２（ａ）は、図１の部分２ａの拡大図、図２（ｂ）は、図２（ａ）の線２ｂ−２ｂから見た平面図である。
【図３】図１の自動臭気ガス遮断装置の分解断面図である。
【図４】図１の自動臭気ガス遮断装置の作動状態を示した図である。
【考案を実施するための形態】
【０００９】
次に添付図面を参照して、本考案の好ましい実施の形態に係る自動臭気ガス遮断装置について詳細に説明する。図１は、本考案の好ましい実施の形態に係る自動臭気ガス遮断装置の全体を示した断面図である。図１において全体として参照符号１０で示される自動臭気ガス遮断装置は、逆切頭円錐形の外壁によって形成され、内部が空洞の本体１２を備えている。本体１２の下端１２ａと上端１２ｂは、開放している。本体１２は、任意の適当な材料、例えば、プラスチック等の合成樹脂材料で形成される。
【００１０】
なお、「逆切頭円錐形」とは、小径の一端と大径の他端を有する切頭円錐形をひっくり返した形状を意味する。すなわち、逆切頭円錐形においては、図３に示されるように、下端１２ａが小径（Ｄ1 ）であり、上端１２ｂが大径（Ｄ2 ＞Ｄ1 ）である。
【００１１】
自動臭気ガス遮断装置１０は、本体１２内に収容された球体１４を備えている。球体１４の径は、本体１２内から脱落しないように、下端１２ａの径Ｄ1 よりも大きくなるように選定されている。球体１４も、本体１２と同様に、任意の適当な材料、例えば、プラスチック等の合成樹脂材料で形成される。
【００１２】
自動臭気ガス遮断装置１０は、本体１２の上端１２ｂを閉鎖するための蓋体１６を備えており、蓋体１６には、１個又は複数個の孔１６ａが設けられている（図では、１個の孔が設けられている例が示されている）。蓋体１６は、後述するように、球体１４が上昇したときに、球体１４が本体１２の外部に飛び出すのを防ぐためのものである。
【００１３】
自動臭気ガス遮断装置１０は、外蓋の下方に配置された中蓋１８のほぼ中央に設けられた開口に設置される。
【００１４】
図４を参照して、以上のように構成された自動臭気ガス遮断装置１０の作動について説明する。マンホール又は排水枡の内部の臭気ガスが所定量以下の場合には、球体１４によって本体１２の下端１２ａが閉鎖されるため、臭気ガスの放出が遮断される（図４（ａ）参照）。一方、マンホール又は排水枡の内部の臭気ガスが所定量以上になると、臭気ガスの圧力によって球体１４が上昇し、本体１２の下端１２ａ及び蓋体１６の孔１６ａを介して、臭気ガスが外部に放出される（図４（ｂ）参照）。
【００１５】
なお、球体１４の重量を調整することにより、球体１４が上昇する圧力を所望のように設定することができる。
【００１６】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１７】
たとえば、本体１２及び／又は蓋体１６を、使用済みのペットボトルを所要の大きさに切断することによって形成してもよい。このようにすることにより、廃材のリサイクルをすることができる。
【００１８】
また、図示されている自動臭気ガス遮断装置１０の各構成要素の寸法や形状などは、例示的なものにすぎない。
【符号の説明】
【００１９】
１０  自動臭気ガス遮断装置
１２  本体
１２ａ  下端
１２ｂ  上端
１４  球体
１６  蓋体
１６ａ  孔
１８  中蓋
【図１】
0003178272.tif 000003
【図２】
0003178272.tif 000004
【図３】
0003178272.tif 000005
【図４】
0003178272.tif 000006